(57)【要約】【課題】入退場者に対し正当に認証されたという安心感を速やかに与える。【解決手段】入退場管理システムＩＳは、入退場者に付随された社員証カードＴと通信を行う通信アンテナ１０１と、通信アンテナ１０１を介し社員証カードＴより情報取得を行うことにより、管理対象区画への入退場者の入場又は退場を検出し、入退場者に係わる人物識別情報と、当該入退場者に付随される社員証カードＴのタグ識別情報とを対応づける、ＤＢデータを格納したタグＩＤ管理データベース３０３とを有し、所定のタイミングで、ＤＢデータに含まれるすべてのタグ識別情報からなるタグ識別情報登録データを、前記ＤＢデータに含まれる前記人物識別情報から分離して複写して取得し、その取得したタグ識別情報登録データを保持し、入退場検出時に社員証カードＴより取得されたタグ識別情報が、保持されたタグ識別情報登録データに含まれるかどうかを判定する。【選択図】図２
2010165144.tif 000002
【特許請求の範囲】
【請求項１】
所定の管理対象区画に対する入退場者の入退場管理を行う入退場管理システムであって、
前記入退場者に付随された無線タグと通信を行う通信アンテナと、
前記通信アンテナを介し前記無線タグより情報取得を行うことにより、前記管理対象区画への前記入退場者の入場又は退場を検出する入退場検出手段と、
前記入退場者に係わる人物識別情報と、当該入退場者に付随される前記無線タグのタグ識別情報とを対応づける、ＤＢデータを格納したタグＩＤ管理データベースと、
所定のタイミングで、前記ＤＢデータに含まれるすべてのタグ識別情報からなるタグ識別情報登録データを、前記ＤＢデータに含まれる前記人物識別情報から分離して複写して取得するデータ取得手段と、
前記データ取得手段で取得した前記タグ識別情報登録データを保持するデータ保持手段と、
前記入退場検出手段による検出時に、当該入退場検出手段で前記無線タグより取得されたタグ識別情報が、前記データ保持手段に保持された前記タグ識別情報登録データに含まれるかどうかを判定する判定手段と
を有することを特徴とする入退場管理システム。
【請求項２】
請求項１記載の入退場管理システムにおいて、
前記通信アンテナを介し、前記入退場者の前記人物識別情報を前記無線タグより取得する人物識別情報取得手段と、
前記判定手段の判定が満たされたとき、前記人物識別情報取得手段で取得した前記人物識別情報に対応した表示を行う人物表示手段と
を有することを特徴とする入退場管理システム。
【請求項３】
請求項１又は請求項２記載の入退場管理システムにおいて、
前記入退場者に係わる前記人物識別情報又は前記タグ識別情報と、当該入退場者の入退場時刻とを対応づけて記録するための入退場管理データベースと、
前記判定手段の判定結果に応じて、当該判定時の時刻情報に基づき、前記入退場管理データベースに対し、対応する記録処理を行う時刻記録処理手段と
を有することを特徴とする入退場管理システム。
【請求項４】
請求項３記載の入退場管理システムにおいて、
前記入退場検出手段による前記入退場検出結果を入場検出として処理する入場処理モードと、前記入退場検出手段による前記入退場検出結果を退場検出として処理する退場処理モードとを、選択的に切り替える切替処理手段を有し、
前記時刻記録処理手段は、
前記切替処理手段で前記入場処理モードに切り替えられているときには、前記入退場管理データベースに対し入場記録処理を行い、
前記切替処理手段で前記退場処理モードに切り替えられているときには、前記入退場管理データベースに対し退場記録処理を行う
ことを特徴とする入退場管理システム。
【請求項５】
請求項４記載の入退場管理システムにおいて、
前記切替処理手段は、
手動による切替操作が行われたとき、若しくは、所定の切替時刻を境に、前記入場処理モードから前記退場処理モードへ、若しくは、前記退場処理モードから前記入場処理モードへと切り替え、
前記データ取得手段は、
前記所定のタイミングとしての前記切替処理手段による切り替え時に、前記タグ識別情報登録データを前記タグＩＤ管理データベースより取得する
ことを特徴とする入退場管理システム。
【請求項６】
請求項４又は請求項５記載の入退場管理システムにおいて、
前記切替処理手段で前記入場処理モードに切り替えられているか退場処理モードに切り替えられているかに応じて、対応するモード表示を行うモード表示手段を有する
ことを特徴とする入退場管理システム。
【請求項７】
請求項１乃至請求項４のいずれか１項記載の入退場管理システムにおいて、
前記データ入退場検出手段、前記データ取得手段、前記データ保持手段、及び前記判定手段を少なくとも備え、所定の入退場管理アプリケーションを起動して実行する、管理端末を有し、
前記データ取得手段は、
前記所定のタイミングとして、前記入退場管理アプリケーションの起動時に、前記タグ識別情報登録データを前記タグＩＤ管理データベースより取得する
ことを特徴とする入退場管理システム。
【請求項８】
請求項１乃至請求項４のいずれか１項記載の入退場管理システムにおいて、
前記データ取得手段は、
前記所定のタイミングとして、一日一回以上、決められた時刻に、前記タグ識別情報登録データを前記タグＩＤ管理データベースより取得する
ことを特徴とする入退場管理システム。
【請求項９】
請求項１乃至請求項８のいずれか１項記載の入退場管理システムにおいて、
前記データ保持手段は、
前記データ取得手段で新たな前記タグ識別情報登録データが取得された場合、それまでに保持していた前記タグ識別情報登録データを、当該新たに取得されたタグ識別情報登録データにより上書き更新し、保持する
ことを特徴とする入退場管理システム。
【請求項１０】
所定の管理対象区画に対する入退場者の入退場管理を行う入退場管理端末であって、
前記入退場者に付随された無線タグと通信を行う通信アンテナと、
前記通信アンテナを介し前記無線タグより情報取得を行うことにより、前記管理対象区画への前記入退場者の入場又は退場を検出する入退場検出手段と、
前記入退場者に係わる人物識別情報と、当該入退場者に付随される前記無線タグのタグ識別情報とを対応づける、ＤＢデータを格納したタグＩＤ管理データベースより、前記ＤＢデータに含まれるタグ識別情報登録データを所定のタイミングで取得するデータ取得手段と、
前記データ取得手段で取得した前記タグ識別情報登録データを保持するデータ保持手段と、
前記入退場検出手段による検出時に、当該入退場検出手段で前記無線タグより取得されたタグ識別情報が、前記データ保持手段に保持された前記タグ識別情報登録データに含まれるかどうかを判定する判定手段と
を有することを特徴とする入退場管理端末。
【発明の詳細な説明】
【技術分野】
【０００１】
本発明は、所定の管理対象区画における入場者及び退場者の入退場管理を行う入退場管理システム及び入退場管理端末に関する。
【背景技術】
【０００２】
情報を記憶する無線タグに対し非接触で情報の送受信を行うＲＦＩＤ（Ｒａｄｉｏ  Ｆｒｅｑｕｅｎｃｙ  Ｉｄｅｎｔｉｆｉｃａｔｉｏｎ）システムが知られている。
【０００３】
このＲＦＩＤシステムの１つとして、所定の管理対象区画（建造物）における人物の管理を行う管理システム（タイムレコーダーシステム）に適用したものが知られている（例えば、特許文献１参照）。この従来技術の管理システムでは、入退場者（社員）の所定区画（会社）への入退場（出退勤）を、社員が所持する無線タグ（ＩＣカード）からの情報読み取りによって管理するものである。
【０００４】
上記従来技術においては、入退場者の入退場時には、タイムレコーダに設けられたリーダ（ＩＤ読み取り・入力手段）が、無線タグよりタグ識別情報（カードＩＤ）を読み取る。そして、このタグ識別情報を、入退場データ（出退勤データ）とともにサーバへと送信する。一方、サーバには、予め、タグ識別情報と入退場者の人物識別情報（社員ＩＤ）とが結びつけられた状態で、データベース（個人マスター）として記憶されている。そして、上記入退場時においてタイムレコーダからタグ識別情報が送信されてくると、このタグ識別情報をキーに上記データベースを検索し、該当する人物（社員）が存在するかどうか（言い換えれば入退出する者が正当権限者である社員であるかどうか）を認証するようになっている。
【先行技術文献】
【特許文献】
【０００５】
特開２００８−１１２４１６号公報（段落００３７等）
【発明の概要】
【発明が解決しようとする課題】
【０００６】
上記従来技術においては、前述したように、無線タグ読み取りに基づく入退場検出時に、その都度、データベースにアクセスして人物認証を行う。このため、ネットワーク通信を介したデータベースへのアクセスが必要になる分、認証に必要な時間が増大する。この結果、入退場者に対し認証結果を速やかに報知することができず、正当に認証されたという安心感を速やかに与えることができなかった。
【０００７】
本発明の目的は、入退場者に対し正当に認証されたという安心感を速やかに与えることができる入退場管理システム及び入退場管理端末を提供することにある。
【課題を解決するための手段】
【０００８】
上記目的を達成するために、第１の発明は、所定の管理対象区画に対する入退場者の入退場管理を行う入退場管理システムであって、前記入退場者に付随された無線タグと通信を行う通信アンテナと、前記通信アンテナを介し前記無線タグより情報取得を行うことにより、前記管理対象区画への前記入退場者の入場又は退場を検出する入退場検出手段と、前記入退場者に係わる人物識別情報と、当該入退場者に付随される前記無線タグのタグ識別情報とを対応づける、ＤＢデータを格納したタグＩＤ管理データベースと、所定のタイミングで、前記ＤＢデータに含まれるすべてのタグ識別情報からなるタグ識別情報登録データを、前記ＤＢデータに含まれる前記人物識別情報から分離して複写して取得するデータ取得手段と、前記データ取得手段で取得した前記タグ識別情報登録データを保持するデータ保持手段と、前記入退場検出手段による検出時に、当該入退場検出手段で前記無線タグより取得されたタグ識別情報が、前記データ保持手段に保持された前記タグ識別情報登録データに含まれるかどうかを判定する判定手段とを有することを特徴とする。
【０００９】
本願第１発明の入退場管理システムは、所定の管理対象区画への入場者又は退場者の入退場管理を行う。各入退場者には無線タグが付随されており、入場又は退場の際には、入退場検出手段が、通信アンテナを用いた無線通信によって無線タグから情報取得を行い、これによって入場検出又は退場検出が行われる。
【００１０】
一方、各無線タグに備えられたタグ識別情報と、当該無線タグが付随される入退場者の人物識別情報とが、予めＤＢデータとして対応づけられ、タグＩＤ管理データベースに格納されている。上記入退場検出手段により入場検出又は退場検出が行われた際には、当該検出した入退場者が不法侵入者ではなく、正当な権限者であることの認証を行わねばならない。無線タグから読み取られる情報には必ずタグ識別情報が含まれることから、この正当権限者であることの認証は、無線タグから取得された無線タグ識別情報を使って行われる。
【００１１】
本願第１発明においては、上記の認証を迅速に行うために、予めタグＩＤ管理データベースのＤＢデータからタグ識別情報登録データを人物識別情報から分離する形で抜き出して複写し、ＤＢ外に設けたデータ保持手段に当該複写したタグ識別情報登録データを保持しておく。そして、上記の入退場検出時には、判定手段が、データ保持手段のタグ識別情報登録データを用いて、無線タグより取得されたタグ識別情報が、その保持されたタグ識別情報登録データに含まれるかどうかを判定する。これによって、無線タグより取得されたタグ識別情報がタグ識別情報登録データに含まれていれば、当該入退場者が正当権限者であることを認証することができる。
【００１２】
このように、入退場検出時に、タグＩＤ管理データベースのＤＢデータ本体にいちいちアクセスして認証を行うのではなく、先にタグＩＤ管理データベースのＤＢデータから複写しておいたタグ識別情報登録データを用いて、認証を行う。これにより、例えばネットワーク通信を介したタグＩＤ管理データベースへのアクセスが不要になる分、正当権限者であるかどうかの認証に必要な時間を大幅に短縮することができる。この結果、認証結果を速やかに入退場者に報知することが可能となり、入退場者に対し、正当に認証されたという安心感を速やかに与えることができる。
【００１３】
第２発明は、上記第１発明において、前記通信アンテナを介し、前記入退場者の前記人物識別情報を前記無線タグより取得する人物識別情報取得手段と、前記判定手段の判定が満たされたとき、前記人物識別情報取得手段で取得した前記人物識別情報に対応した表示を行う人物表示手段とを有することを特徴とする。
【００１４】
これにより、入退場者が正当権限者であることが認証されたとき、当該入退場者の氏名等の人物識別情報が、タグＩＤ管理データベースに接続することなく、即座に人物表示手段に表示される。この結果、当該入退場者は自分が正しく認証されたことを確実に視覚的に認識することができるので、さらに安心感を与えることができる。
【００１５】
第３発明は、上記第１又は第２発明において、前記入退場者に係わる前記人物識別情報又は前記タグ識別情報と、当該入退場者の入退場時刻とを対応づけて記録するための入退場管理データベースと、前記判定手段の判定結果に応じて、当該判定時の時刻情報に基づき、前記入退場管理データベースに対し、対応する記録処理を行う時刻記録処理手段とを有することを特徴とする。
【００１６】
これにより、入退場管理データベースに登録された入退場者について、入場時刻と退場時刻を記録（打刻）して管理することができるので、社員の出退勤管理等に活用することができる。また、時刻記録処理手段による記録（打刻）の前に判定手段で判定を行うようにすることで、打刻より先に確実に認証を完了し、認証結果を速やかに入退場者に報知することができる。
【００１７】
第４発明は、上記第３発明において、前記入退場検出手段による前記入退場検出結果を入場検出として処理する入場処理モードと、前記入退場検出手段による前記入退場検出結果を退場検出として処理する退場処理モードとを、選択的に切り替える切替処理手段を有し、前記時刻記録処理手段は、前記切替処理手段で前記入場処理モードに切り替えられているときには、前記入退場管理データベースに対し入場記録処理を行い、前記切替処理手段で前記退場処理モードに切り替えられているときには、前記入退場管理データベースに対し退場記録処理を行うことを特徴とする。
【００１８】
これにより、モード切替を行うだけで、共通の通信アンテナを介した情報取得結果を用いて、入場記録処理と退場記録処理との両方を行うことができる。したがって、入場検出と退場検出とで別々の通信アンテナを用いて別々に情報取得を行う場合に比べ、システム構成を簡素化することができる。
【００１９】
第５発明は、上記第４発明において、前記切替処理手段は、手動による切替操作が行われたとき、若しくは、所定の切替時刻を境に、前記入場処理モードから前記退場処理モードへ、若しくは、前記退場処理モードから前記入場処理モードへと切り替え、前記データ取得手段は、前記所定のタイミングとしての前記切替処理手段による切り替え時に、前記タグ識別情報登録データを前記タグＩＤ管理データベースより取得することを特徴とする。
【００２０】
これにより、入退場者の入場検出を開始するために入場処理モードに切り替えられたとき、あるいは、入退場者の退場検出を開始するために退場処理モードに切り替えられたとき、それらの検出に先立って、確実にタグＩＤ管理データベースよりタグ識別情報登録データを取得することができる。また、それらモード切り替えの都度、最新のタグ識別情報登録データをタグＩＤ管理データベースより取得することができる。
【００２１】
第６発明は、上記第４又は第５発明において、前記切替処理手段で前記入場処理モードに切り替えられているか退場処理モードに切り替えられているかに応じて、対応するモード表示を行うモード表示手段を有することを特徴とする。
【００２２】
これにより、現在、入場処理モードなのか退場処理モードなのかが表示されるので、入退場者は、自分の出入りが、入場として記録されるのか、退場として記録されるのかを、確実に認識することができる。この結果、さらに確実に安心感を与えることができる。
【００２３】
第７発明は、上記第１乃至第４発明のいずれかにおいて、前記データ入退場検出手段、前記データ取得手段、前記データ保持手段、及び前記判定手段を少なくとも備え、所定の入退場管理アプリケーションを起動して実行する、管理端末を有し、前記データ取得手段は、前記所定のタイミングとして、前記入退場管理アプリケーションの起動時に、前記タグ識別情報登録データを前記タグＩＤ管理データベースより取得することを特徴とする。
【００２４】
これにより、入退場者の入退場検出を開始するために管理端末で入退場管理アプリケーションが立ち上げられたとき、入退場検出に先立ち、確実にタグＩＤ管理データベースよりタグ識別情報登録データを取得することができる。そして、その入退場管理アプリケーションの起動の都度、最新のタグ識別情報登録データをタグＩＤ管理データベースより取得することができる。
【００２５】
第８発明は、上記第１乃至第４発明のいずれかにおいて、前記データ取得手段は、前記所定のタイミングとして、一日一回以上、決められた時刻に、前記タグ識別情報登録データを前記タグＩＤ管理データベースより取得することを特徴とする。
【００２６】
これにより、毎日１回又は複数回、決まった時刻に、確実にタグＩＤ管理データベースよりタグ識別情報登録データを取得することができ、さらに、その都度最新のタグ識別情報登録データを取得することができる。
【００２７】
第９発明は、上記第１乃至第８発明のいずれかにおいて、前記データ保持手段は、前記データ取得手段で新たな前記タグ識別情報登録データが取得された場合、それまでに保持していた前記タグ識別情報登録データを、当該新たに取得されたタグ識別情報登録データにより上書き更新し、保持することを特徴とする。
【００２８】
これにより、タグＩＤ管理データベースよりタグ識別情報登録データが取得されるたび、それまでの古いデータを置き換える形で最新のデータに更新することができるので、精度の高い認証を確実に行うことができる。
【００２９】
上記目的を達成するために、本願第１０発明の入退場管理端末においては、所定の管理対象区画に対する入退場者の入退場管理を行う入退場管理端末であって、前記入退場者に付随された無線タグと通信を行う通信アンテナと、前記通信アンテナを介し前記無線タグより情報取得を行うことにより、前記管理対象区画への前記入退場者の入場又は退場を検出する入退場検出手段と、前記入退場者に係わる人物識別情報と、当該入退場者に付随される前記無線タグのタグ識別情報とを対応づける、ＤＢデータを格納したタグＩＤ管理データベースより、前記ＤＢデータに含まれるタグ識別情報登録データを所定のタイミングで取得するデータ取得手段と、前記データ取得手段で取得した前記タグ識別情報登録データを保持するデータ保持手段と、前記入退場検出手段による検出時に、当該入退場検出手段で前記無線タグより取得されたタグ識別情報が、前記データ保持手段に保持された前記タグ識別情報登録データに含まれるかどうかを判定する判定手段とを有することを特徴とする。
【００３０】
本願第１０発明の入退場管理端末は、所定の管理対象区画への入場者又は退場者の入退場管理を行う。各入退場者には無線タグが付随されており、入場又は退場の際には、入退場検出手段が、通信アンテナを用いた無線通信によって無線タグから情報取得を行い、これによって入場検出又は退場検出が行われる。そして、本願第１０発明においては、予めタグＩＤ管理データベースのＤＢデータからタグ識別情報登録データを人物識別情報から分離する形で抜き出して複写し、ＤＢ外の入退場管理端末内に設けたデータ保持手段に当該複写したタグ識別情報登録データを保持しておく。そして、上記の入退場検出時には、判定手段が、データ保持手段のタグ識別情報登録データを用いて、無線タグより取得されたタグ識別情報が、その保持されたタグ識別情報登録データに含まれるかどうかを判定する。これによって、無線タグより取得されたタグ識別情報がタグ識別情報登録データに含まれていれば、当該入退場者が正当権限者であることを認証することができる。
【００３１】
このように、入退場検出時に、タグＩＤ管理データベースのＤＢデータ本体にいちいちアクセスして認証を行うのではなく、先にタグＩＤ管理データベースのＤＢデータから入退場管理端末内に複写しておいたタグ識別情報登録データを用いて、認証を行う。これにより、例えばネットワーク通信を介したタグＩＤ管理データベースへのアクセスが不要になる分、正当権限者であるかどうかの認証に必要な時間を大幅に短縮することができる。この結果、認証結果を速やかに入退場者に報知することが可能となり、入退場者に対し、正当に認証されたという安心感を速やかに与えることができる。
【００３２】
また、１つの入退場管理端末がデータベース以外の各手段を備えるオールインワンタイプとすることにより、複数の装置を組み合わせてシステムを構築する場合よりも構成を簡素化でき、また手軽に入退場管理システムを実現することができ、さらに必要時には全体の移動も容易に行うことができる。
【発明の効果】
【００３３】
本発明によれば、入退場者に対し正当に認証されたという安心感を速やかに与えることができる。
【図面の簡単な説明】
【００３４】
【図１】本発明の一実施形態の入退場管理システムの全体構成を示すシステム構成図である。
【図２】入退場管理システムのシステム全体の機能構成を示す機能ブロック図である。
【図３】ＰＣ端末の表示部に表示される入退場管理画面の入場時及び退場時の一例を表す図である。
【図４】入退場管理データベースに記録される勤怠管理リストの一例を表す図である。
【図５】タグＩＤ管理データベースに保管される社員管理リストの一例を表す図である。
【図６】大容量記憶装置に保持されるタグＩＤリストの一例を表す図である。
【図７】リーダの高周波回路の詳細機能構成を示す機能ブロック図である。
【図８】社員証カードに備えられる無線タグ回路素子の機能的構成の一例を表す機能ブロック図である。
【図９】入退場管理を行う際に、ＰＣ端末の制御回路によって実行される制御手順を表すフローチャートである。
【図１０】人物識別情報に対応した表示をする際に、ＰＣ端末の表示部に表示される入退場管理画面の入場時及び退場時の一例を表す図である。
【図１１】ＰＣ端末とリーダを一装置で構成する変形例のタイムレコーダ装置の外観を表す斜視図である。
【図１２】タイムレコーダ装置を含む入退場管理システムのシステム全体の機能構成を示す機能ブロック図である。
【発明を実施するための形態】
【００３５】
以下、本発明の一実施の形態を図面を参照しつつ説明する。
【００３６】
図１に、本実施形態の入退場管理システムの全体構成を示す。
【００３７】
入退場管理システムＩＳは、本実施形態における所定の管理対象区画であるオフィスに対する入退場者の入退場管理を行うものである。この入退場管理システムＩＳは、リーダ１００と、このリーダ１００と例えばＵＳＢ等のインターフェースを介して接続され、リーダ１００を操作可能なＰＣ端末２００（管理端末）と、このＰＣ端末２００と有線あるいは無線のネットワークＮＷ（ＬＡＮ、無線ＬＡＮ等）を介して情報入出力可能に接続されたサーバ３００とを有している。なお、ここではリーダ１００とＰＣ端末２００とを有線接続させた場合を例示したが、無線通信を介して無線接続させてもよい。
【００３８】
リーダ１００は、オフィスへの入退場者である社員に付随（携帯、所持等）された無線タグとしての社員証カードＴ（後述の図２参照）より、無線通信を介して情報の取得を行う。
【００３９】
ＰＣ端末２００は、液晶ディスプレイ等の表示部２０１（人物表示手段；モード表示手段）及びキーボードやマウス等の操作部２０２を有している。このＰＣ端末２００には、所定の入退場管理アプリケーション（以下適宜、単にアプリケーションという）がインストールされており、ＰＣ端末２００の電源投入時に自動又は手動操作によりアプリケーションが起動される。このアプリケーションが実行されている間は、表示部２０１に入退場管理画面（後述の図３参照）が表示され、社員が社員証カードＴをリーダ１００にかざすことにより、入場時刻又は退場時刻の記録等が行われる。なお、リーダ１００による通信距離を長くとれる場合には、社員が社員証カードＴをリーダ１００へかざす行為を積極的に行わなくても、単にゲート等を通り過ぎるだけでリーダ１００から自動的に社員証カードＴへの情報読み取りを行い、これに応じて入場時刻又は退場時刻の記録等が行われるようにしてもよい。
【００４０】
図２に、入退場管理システムＩＳのシステム全体の機能構成を示す。
【００４１】
この図２において、サーバ３００は、ネットワーク通信制御部３０１と、制御回路３０２と、入退場者である社員に係わる人物識別情報（氏名、社員番号等。以下同様）と当該社員に付随される社員証カードＴ（詳細には社員証カードＴに備えられる後述の無線タグ回路素子Ｔｏ）のタグＩＤ（タグ識別情報）とを対応づける、ＤＢデータを格納したタグＩＤ管理データベース３０３と、上記社員に係わる人物識別情報（又は上記タグＩＤ）と当該社員の入退場時刻とを対応づけて記録するための入退場管理データベース３０４とを有している。
【００４２】
ネットワーク通信制御部３０１は、ＰＣ端末２００との間でネットワークＮＷを介して行われるネットワーク通信の制御を行う。
【００４３】
制御回路３０２は、サーバ３００全体の動作を制御する。
【００４４】
上記タグＩＤ管理データベース３０３には、オフィスの全社員に係わる社員証カードＴのタグＩＤ及び人物識別情報を、予め上記ＤＢデータとして対応づけて登録した社員管理リスト（後述の図５参照）が保管されている。
【００４５】
また、上記入退場管理データベース３０４では、入退場を行う社員の人物識別情報及びその社員の入退場時刻とを対応づけて記録する勤怠管理リスト（後述の図４参照）が日々記録されるようになっている。
【００４６】
一方、リーダ１００は、社員に付随された社員証カードＴの無線タグ回路素子Ｔｏと通信を行う通信アンテナ１０１と、この通信アンテナ１０１を介し上記無線タグ回路素子Ｔｏへ無線通信によりアクセスすると共に、その無線タグ回路素子Ｔｏから読み出された信号を処理する高周波回路１０２と、上記ＰＣ端末２００との間で行われる通信の制御を行う通信制御部１０３とを有している。
【００４７】
社員証カードＴに設けられた無線タグ回路素子Ｔｏは、情報を記憶するＩＣ回路部１５０及び情報の送受信を行うタグアンテナ１５１を備えている。ＩＣ回路部１５０には、当該社員証カードＴに設けられた無線タグ回路素子Ｔｏの上記タグＩＤと、この例では上記社員に係わる人物識別情報（氏名、社員番号等）とが、記憶されている。
【００４８】
また、ＰＣ端末２００は、上記表示部２０１及び操作部２０２と、図示しないＣＰＵ及びＲＡＭ、ＲＯＭ等のメモリを有する制御回路２０３と、ネットワーク通信制御部２０４と、上記入退場管理アプリケーションのプログラム等を記憶するハードディスク装置等の大容量記憶装置２０５と、通信制御部２０６とを備えている。
【００４９】
表示部２０１は、リーダ１００によって通信アンテナ１０１を介して取得した人物識別情報に対応した表示（後述のウェルカム表示等）や後述のモード表示等を行う。
【００５０】
ネットワーク通信制御部２０４は、サーバ３００との間でネットワークＮＷを介して行われるネットワーク通信の制御を行う。
【００５１】
制御回路２０３は、ＲＡＭの一時記憶機能を利用しつつＲＯＭに予め記憶されたプログラムを実行する。それによって上記入退場管理アプリケーションを実行したり、リーダ１００との間で各種の指示信号・情報信号の送受を行う。また、所定のタイミング（例えば、上記アプリケーション起動時等。詳細は後述）で、上記タグＩＤ管理データベース３０３に保管された、オフィスの全社員に係わる社員証カードＴのタグＩＤ（＝タグＩＤ登録データ。上記社員管理リストのＤＢデータに含まれるすべてのタグＩＤから構成される）を、上記ＤＢデータに含まれる人物識別情報から分離して複写して取得するようになっている。
【００５２】
大容量記憶装置２０５（データ保持手段）は、タグＩＤ管理データベース３０３の社員管理リストから取得した上記タグＩＤ登録データをタグＩＤリスト（後述の図６参照）として記録し、保持する。また、上記社員管理リストより新たなタグＩＤ登録データが取得された場合、それまでタグＩＤリストに保持していたタグＩＤ登録データ（古いデータ）を、当該新たに取得されたタグＩＤ登録データ（最新のデータ）により上書き更新し、保持するようになっている。
【００５３】
通信制御部２０６は、例えばＵＳＢなどの規格に準拠するインターフェース接続を介してリーダ１００との情報信号の授受の制御を行う。
【００５４】
上記のように構成される入退場管理システムＩＳは、オフィスへの社員の入場を検出処理する入場処理モードと、オフィスからの社員の退場を検出処理する退場処理モードとの２つのモードを有しており、所定の手動切替操作により上記モードを選択的に切り替えることができる（詳細は図３で後述）。
【００５５】
入場処理モードに切り替えられているときには、上記入退場管理データベース３０４の勤怠管理リストに対し入場時刻の記録を行う（入場記録処理）。一方、退場処理モードに切り替えられているときには、上記入退場管理データベース３０４の勤怠管理リストに対し退場時刻の記録を行う（退場記録処理）。このとき、モードが入場処理モードに切り替えられているか退場処理モードに切り替えられているかに応じて、対応するモード表示を表示部２０１に表示する（後述の図３参照）。
【００５６】
図３（ａ）及び図３（ｂ）に、ＰＣ端末２００の表示部２０１に表示される上記入退場管理画面の一例を示す。なお、図３（ａ）は上記入場処理モードにおいて表示される画面を表し、図３（ｂ）は上記退場処理モードにおいて表示される画面を表している。
【００５７】
これら図３（ａ）及び図３（ｂ）において、入退場管理画面２１０は、日付及び時刻を表示する日時表示部２１１と、社員が入場をする際に選択する入場選択部２１２と、社員が退場をする際に選択する退場選択部２１３と、適宜のメッセージ等を表示するメッセージ表示部２１４とを有している。
【００５８】
社員がオフィスに入場する際には、図３（ａ）に示すように、まず操作部２０２を用いて入場選択部２１２を選択する（例えば、画面上のカーソルをマウスかキーボード等により移動させてクリックする等）ことで、入場時刻の記録を行う上記入場処理モードに切り替わる。このとき、メッセージ表示部２１４には、入場処理モードに対応するモード表示（図中「ＩＮ」）が表示される。そして、社員証カードＴをリーダ１００にかざすことで、社員証カードＴの無線タグ回路素子Ｔｏに対し情報読み取りが行われ、入場時刻の記録等が行われる（処理の詳細は後述）。
【００５９】
一方、社員がオフィスから退場する際には、図３（ｂ）に示すように、まず操作部２０２を用いて退場選択部２１３を選択する（上記同様のクリック操作等）ことで、退場時刻の記録を行う上記退場処理モードに切り替わる。このとき、メッセージ表示部２１４には、退場処理モードに対応するモード表示（図中「ＯＵＴ」）が表示される。そして、社員証カードＴをリーダ１００にかざすことで、社員証カードＴの無線タグ回路素子Ｔｏに対し情報読み取りが行われ、退場時刻の記録等が行われる（処理の詳細は後述）。
【００６０】
なお、上記入場処理モード及び退場処理モードのモード切替を、上記のような操作部２０２を介した手動切替操作とするのではなく、所定の時刻を境に、入場処理モードから退場処理モードへ、若しくは退場処理モードから入場処理モードへ、自動で切り替えるようにしてもよい（後述の（２）の変形例参照）。
【００６１】
なお、表示部２０１をタッチパネルで構成し、上記入場選択部２１２及び退場選択部２１３を社員が直接画面に触れながら選択できるようにしてもよい。
【００６２】
図４に、入退場管理データベース３０４に記録される上記勤怠管理リストの一例を示す。
【００６３】
この図４に示す例では、入退場を行う社員の上記人物識別情報としての「氏名」及び「社員番号」と、その社員の入場時刻「ＩＮ」及び退場時刻「ＯＵＴ」とが対応づけて記録されている。なお、この例では勤怠管理リストに人物識別情報と入退場時刻のみを記録するようにしたが、対応するタグＩＤも併せて記録するようにしてもよい。
【００６４】
図５にタグＩＤ管理データベース３０３に保管される上記社員管理リストの一例を示す。
【００６５】
この図５に示す例では、社員管理リストに、上記オフィスの全社員に係わる社員証カードＴのタグＩＤ（＝タグＩＤ登録データ）と、対応する社員に係わる人物識別情報としての氏名及び社員番号とが、予めＤＢデータとして対応づけられて登録されている。
【００６６】
そして、上記の社員管理リストのＤＢデータのうち、上述したように、上記入退場管理アプリケーションの起動時に上記タグＩＤ登録データが抜き出されて複写され、その複写されたタグＩＤ登録データは、ＰＣ端末２００の大容量記憶装置２０５にタグＩＤリストとして記憶される。図６に、このようにして大容量記憶装置２０５に保持されたタグＩＤリストの一例を示す。
【００６７】
この図６に示す例では、タグＩＤリストに、上記図５に示した社員管理リストのＤＢデータから抜き出して複写した上記全社員のタグＩＤが記憶されている。したがって、社員の入退場時にリーダ１００により社員証カードＴよりタグＩＤを取得した際に、当該タグＩＤがこのタグＩＤリストのタグＩＤ登録データに含まれているか否かを検索することで、社員証カードＴをかざした人物が社員であるか否かを確認できるようになっている。
【００６８】
図７に、リーダ１００の高周波回路１０２の詳細機能構成を示す。
【００６９】
この図７において、高周波回路１０２は、上記通信アンテナ１０１を介し上記社員証カードＴの無線タグ回路素子ＴｏのＩＣ回路部１５０の情報へアクセスするものである。この高周波回路１０２には、ＰＣ端末の制御回路２０３により生成された、ＩＣ回路部１５０から情報を読み出す（又はＩＣ回路部１５０に所望の情報を書き込む）ための各種コマンドが通信制御部２０６，１０３を介し入力される。なお、煩雑防止のため図７では通信制御部２０６，１０３の図示を省略している。
【００７０】
高周波回路１０２は、通信アンテナ１０１を介し無線タグ回路素子Ｔｏに対して信号を送信する送信部１４２と、通信アンテナ１０１により受信された無線タグ回路素子Ｔｏからの応答波を入力する受信部１４３と、送受分離器１４４とから構成される。
【００７１】
送信部１４２は、無線タグ回路素子ＴｏのＩＣ回路部１５０の無線タグ情報（この例ではタグＩＤ及び上記人物識別情報を含む）にアクセスするための質問波を生成するブロックである。すなわち、送信部１４２は、周波数の基準信号を出力する水晶振動子１４５Ａと、制御回路２０３の制御により水晶振動子１４５Ａの出力を分周／遁倍して所定周波数の搬送波を発生させるＰＬＬ（Ｐｈａｓｅ  Ｌｏｃｋｅｄ  Ｌｏｏｐ）１４５Ｂ、及びＶＣＯ（Ｖｏｌｔａｇｅ  Ｃｏｎｔｒｏｌｌｅｄ  Ｏｓｃｉｌｌａｔｏｒ）１４５Ｃと、上記制御回路２０３から供給される信号に基づいて上記発生させられた搬送波を変調（この例では制御回路２０３からの「ＴＸ＿ＡＳＫ」信号に基づく振幅変調）する送信乗算回路１４６（振幅変調の場合は増幅率可変アンプ等を用いてもよい）と、その送信乗算回路１４６により変調された変調波を増幅（この例では制御回路２０３からの「ＴＸ＿ＰＷＲ」信号によって増幅率を決定される増幅）して所望の質問波を生成するゲイン制御送信アンプ１４７とを備えている。そして、上記発生される搬送波は、例えばＵＨＦ帯（又はマイクロ波帯、あるいは短波帯でもよい）の周波数を用いており、上記ゲイン制御送信アンプ１４７の出力は、送受分離器１４４を介し通信アンテナ１０１に伝達されて無線タグ回路素子ＴｏのＩＣ回路部１５０に供給される。なお、質問波は上記のように変調した信号（変調波）に限られず、単なる搬送波のみの場合もある。
【００７２】
受信部１４３は、通信アンテナ１０１で受信された無線タグ回路素子Ｔｏからの応答波と上記搬送波とを乗算して復調するＩ相受信乗算回路１４８と、そのＩ相受信乗算回路１４８の出力から必要な帯域の信号のみを取り出すためのＩ相バンドパスフィルタ１４９と、このＩ相バンドパスフィルタ１４９の出力を増幅するＩ相受信アンプ１６２と、このＩ相受信アンプ１６２の出力をさらに増幅してデジタル信号に変換するＩ相リミッタ１６３と、上記通信アンテナ１０１で受信された無線タグ回路素子Ｔｏからの応答波と上記搬送波が移相器１６７により位相を９０°遅らせた信号とを乗算するＱ相受信乗算回路１７２と、そのＱ相受信乗算回路１７２の出力から必要な帯域の信号のみを取り出すためのＱ相バンドパスフィルタ１７３と、このＱ相バンドパスフィルタ１７３の出力を増幅するＱ相受信アンプ１７５と、このＱ相受信アンプ１７５の出力をさらに増幅してデジタル信号に変換するＱ相リミッタ１７６とを備えている。そして、上記Ｉ相リミッタ１６３から出力される信号「ＲＸＳ−Ｉ」及びＱ相リミッタ１７６から出力される信号「ＲＸＳ−Ｑ」は、上記制御回路２０３に入力されて処理される。
【００７３】
また、Ｉ相受信アンプ１６２及びＱ相受信アンプ１７５の出力は、強度検出手段としてのＲＳＳＩ（Ｒｅｃｅｉｖｅｄ  Ｓｉｇｎａｌ  Ｓｔｒｅｎｇｔｈ  Ｉｎｄｉｃａｔｏｒ）回路１７８にも入力され、それらの信号の強度を示す信号「ＲＳＳＩ」が制御回路２０３に入力される。これにより、ＰＣ端末２００では、無線タグ回路素子Ｔｏとの通信時における当該無線タグ回路素子Ｔｏからの信号の受信強度を検出することが可能となっている。
【００７４】
図８に、上記社員証カードＴに備えられる無線タグ回路素子Ｔｏの機能的構成の一例を示す。
【００７５】
この図８において、無線タグ回路素子Ｔｏは、上述したようにリーダ１００の通信アンテナ１０１と非接触で信号の送受信を行う上記タグアンテナ１５１と、このタグアンテナ１５１に接続された上記ＩＣ回路部１５０とを有している。
【００７６】
ＩＣ回路部１５０は、タグアンテナ１５１により受信された質問波を整流する整流部１５２と、この整流部１５２により整流された質問波のエネルギを蓄積し駆動電源とするための電源部１５３と、上記タグアンテナ１５１により受信された質問波からクロック信号を抽出して制御部１５７に供給するクロック抽出部１５４と、所定の情報信号を記憶し得るメモリ部１５５と、上記タグアンテナ１５１に接続された変復調部１５６と、上記メモリ部１５５、クロック抽出部１５４、及び変復調部１５６等を介し上記無線タグ回路素子Ｔｏの作動を制御するための上記制御部１５７とを備えている。
【００７７】
変復調部１５６は、タグアンテナ１５１により受信された上記リーダ１００の通信アンテナ１０１からの質問波の復調を行い、また、上記制御部１５７からの返信信号を変調し、タグアンテナ１５１より応答波（タグＩＤを含む信号）として送信する。
【００７８】
クロック抽出部１５４は受信した信号からクロック成分を抽出し、当該クロック成分の周波数に対応したクロックを制御部１５７に供給する。
【００７９】
制御部１５７は、上記変復調部１５６により復調された受信信号を解釈し、上記メモリ部１５５において記憶された情報信号に基づいて返信信号を生成し、この返信信号を上記変復調部１５６により上記タグアンテナ１５１から返信する制御等の基本的な制御を実行する。
【００８０】
図９に、以上説明した社員の入退場管理を行うために、ＰＣ端末２００の制御回路２０３によって実行される制御手順を示す。このフローチャートは、ＰＣ端末２００の電源が投入された際に開始される（「ＳＴＡＲＴ」位置）。
【００８１】
ステップＳ５では、制御回路２０３は、大容量記憶装置２０５に格納された所定の入退場管理アプリケーションプログラムを読み出し、当該アプリケーションを起動して実行する。なお、ここでは制御回路２０３が自動的にアプリケーションを起動するようにしたが、社員が手動操作によりアプリケーションの起動を行うようにしてもよい。
【００８２】
その後、ステップＳ１０で、制御回路２０３は、上記入退場管理アプリケーションが起動されたのに応じて、ネットワーク通信制御部２０４及びネットワークＮＷを介してサーバ３００のタグＩＤ管理データベース３０３にアクセスする。そして、前述したように、タグＩＤ管理データベース３０３の社員管理リストのＤＢデータに含まれるタグＩＤ登録データを、当該ＤＢデータに含まれる人物識別情報から分離して複写し、取得する（データ取得手段としての機能）。
【００８３】
そして、ステップＳ１５で、制御回路２０３は、上記ステップＳ１０で取得したタグＩＤ登録データを大容量記憶装置２０５にタグＩＤリストとして記憶させ、保持させる。なおこの際、前回動作時に既に大容量記憶装置２０５にタグＩＤリストが保持されていた場合には、このステップＳ１５で新たに取得されたタグＩＤ登録データにより上書き更新する。
【００８４】
その後、ステップＳ２０で、制御回路２０３は、社員が入場及び退場のうちいずれをしようとしているのかを判定する。社員が前述のようにして入場選択部２１２を選択している場合には、社員が入場しようとしているとみなし、判定が満たされてステップＳ２５に移る。
【００８５】
ステップＳ２５では、制御回路２０３は、社員の入場検出処理を行う上記入場処理モードへ切り替え、ステップＳ３０に移る。
【００８６】
ステップＳ３０では、制御回路２０３は、表示部２０１に制御信号を出力し、メッセージ表示部２１４に対応するモード表示（例えば「ＩＮ」。前述の図３（ａ）参照）を行う。その後、後述のステップＳ４５に移る。
【００８７】
一方、先のステップＳ２０において、社員が退場選択部２１３を選択している場合には、社員が退場しようとしているとみなし、判定が満たされずにステップＳ３５に移る。
【００８８】
ステップＳ３５では、制御回路２０３は、社員の退場検出処理を行う上記退場処理モードへ切り替え、ステップＳ４０に移る。
【００８９】
ステップＳ４０では、制御回路２０３は、表示部２０１に制御信号を出力し、メッセージ表示部２１４に対応するモード表示（例えば「ＯＵＴ」。前述の図３（ｂ）参照）を行う。
【００９０】
そして、ステップＳ４５で、制御回路２０３は、通信制御部２０６，１０３を介してリーダ１００の高周波回路１０２に制御信号を送信し、社員証カードＴに備えられる無線タグ回路素子Ｔｏのメモリ部１５５に記憶されたタグＩＤを読み出すタグ読み取り信号として、所定の変調を行った質問波を通信アンテナ１０１を介して通信範囲内に存在する無線タグ回路素子Ｔｏに送信させる。
【００９１】
その後、ステップＳ５０で、制御回路２０３は、上記タグ読み取り信号に対応して通信範囲内の無線タグ回路素子Ｔｏから返信された応答（リプライ）信号を、通信制御部１０３，２０６を介して受信したか否かを判定する。応答信号を受信しない場合には、判定が満たされずに上記ステップＳ２０に戻り、同様の手順を繰り返し、上記ステップＳ３０で再び高周波回路１０２に制御信号を送信してタグ読み取り信号の送信を行う（リトライ）。なお、この図９では図示を省略しているが、上記リトライは予め定められた設定回数だけ行われ、その間に応答信号を受信しない場合には、対応する処理（例えば表示部２０１にエラー表示を行う等）を行う。一方、応答信号を受信した場合には、判定が満たされてステップＳ５５に移る。
【００９２】
ステップＳ５５では、制御回路２０３は、上記ステップＳ５０で受信した応答信号に基づき取得したタグＩＤが、大容量記憶装置２０５のタグＩＤリストに保持されたタグＩＤ登録データに含まれているか否かを判定する（判定手段としての機能）。含まれていなかった場合にはステップＳ６０に移り、所定のエラー処理を行う（例えば表示部２０１に制御信号を出力して「未登録です」等のエラー表示を行ったり、警備員に通報する等）。その後、後述のステップＳ９５に移る。
【００９３】
一方、上記ステップＳ５５において、取得したタグＩＤがタグＩＤ登録データに含まれていた場合には、ステップＳ５５の判定が満たされてステップＳ６５に移る。
【００９４】
ステップＳ６５では、制御回路２０３は、上記ステップＳ５０でリーダ１００の通信アンテナ１０１を介し、社員証カードＴの無線タグ回路素子Ｔｏより受信した応答信号から、社員の人物識別情報（氏名、社員番号等）を抽出して取得する（人物識別情報取得手段としての機能）。
【００９５】
そして、ステップＳ７０で、制御回路２０３は、入場処理モード及び退場処理モードのうちいずれのモードに切り替わっているのかを判定する。入場処理モードに切り替わっている場合には、判定が満たされてステップＳ７５に移る。
【００９６】
ステップＳ７５では、制御回路２０３は、表示部２０１に制御信号を出力し、上記ステップＳ６５で取得した人物識別情報に基づき、メッセージ表示部２１４に対応するウェルカム表示（例えば「○○さん、おはようございます」等。後述の図１０（ａ）参照）を行う。
【００９７】
その後、ステップＳ８０で、制御回路２０３は、ネットワーク通信制御部２０４及びネットワークＮＷを介してサーバ３００の入退場管理データベース３０４にアクセスし、上記取得した人物識別情報と、図示しない計時手段から取得した入場時刻とを対応づけて、入退場管理データベース３０４の上記勤怠管理リストに記録する。なお、この場合において、前述したようにタグＩＤについても対応づけて記録してもよい。その後、後述のステップＳ９５に移る。
【００９８】
一方、先のステップＳ７０において、退場処理モードに切り替わっている場合には、ステップＳ７０の判定が満たされずにステップＳ８５に移る。
【００９９】
ステップＳ８５では、制御回路２０３は、表示部２０１に制御信号を出力し、上記ステップＳ６５で取得した人物識別情報に基づき、メッセージ表示部２１４に対応するウェルカム表示（例えば「○○さん、お疲れ様でした」等。後述の図１０（ｂ）参照）を行う。
【０１００】
そして、ステップＳ９０で、制御回路２０３は、ネットワーク通信制御部２０４及びネットワークＮＷを介してサーバ３００の入退場管理データベース３０４にアクセスし、上記取得した人物識別情報と、上記計時手段から取得した退場時刻とを対応づけて、入退場管理データベース３０４の上記勤怠管理リストに記録する。なお、この場合において、前述したようにタグＩＤについても対応づけて記録してもよい。
【０１０１】
その後、ステップＳ９５で、制御回路２０３は、操作部２０２を介して実行中の入退場管理アプリケーションを終了する操作が行なわれたか否かを判定する。アプリケーションを終了する操作が行われていない場合には、判定は満たされずに上記ステップＳ２０に戻り、同様の手順を繰り返す。一方、アプリケーションを終了する操作が行われた場合には、判定が満たされてステップＳ１００に移る。
【０１０２】
ステップＳ１００では、制御回路２０３は、実行中の入退場管理アプリケーションを終了処理する。これにより、当該アプリケーションによる入退場管理画面２１０（前述の図３参照）が閉じられる。なおこのとき、アプリケーションの終了のみでなく、アプリケーションの終了後、ログアウト等の他の処理を行ってもよいし、さらにＰＣ端末２００の電源を落とすようにしてもよい。以上により、このフローを終了する。
【０１０３】
なお、上記ステップＳ６５においては、上記ステップＳ５５の判定が満たされた場合には、上記ステップＳ４５で送信したタグ読み取り信号に対応して、上記ステップＳ５０で社員証カードＴの無線タグ回路素子Ｔｏより受信した応答信号から、人物識別情報を抽出して取得するようにした。しかしながら、上記ステップＳ６５において、上記ステップＳ５５の判定が満たされた場合に、改めて人物識別情報を含む情報を読み取るためのタグ読み取り信号を送信することで、人物識別情報の取得を行うようにしてもよい。
【０１０４】
上記において、ステップＳ５０が、オフィスへの入退場者の入場又は退場を検出する入退場検出手段として機能する。
【０１０５】
また、ステップＳ２０が、入場処理モードと退場処理モードとを、選択的に切り替える切替処理手段として機能する。
【０１０６】
またさらに、ステップＳ８０及びステップＳ９０が、入退場管理データベース３０４に対し、対応する記録処理を行う時刻記録処理手段として機能する。
【０１０７】
図１０に、上記図９のフローのステップＳ８０及びステップＳ９０において人物識別情報に対応して表示部２０１で実行するウェルカム表示の一例を示す。なお、図１０（ａ）は上記入場処理モードにおいて表示される画面を表し、図１０（ｂ）は上記退場処理モードにおいて表示される画面を表している。
【０１０８】
これら図１０（ａ）及び図１０（ｂ）に示すように、社員がオフィスに入退場する際には、メッセージ表示部２１４に、社員証カードＴより取得した人物識別情報に基づいて、その社員の氏名を明示した挨拶文が表示される。
【０１０９】
以上説明したように、本実施形態においては、リーダ１００の通信アンテナ１０１を介して入退場者が付随する社員証カードＴの無線タグ回路素子Ｔｏから情報読み取りを行うことで、入退場者（社員）の入退場検出を行う。この際、当該検出した社員が不法侵入者ではなく、正当な権限者（＝オフィスの社員）であることの認証は、無線タグ回路素子Ｔｏから取得したタグＩＤを用いて行う。このとき、上記の認証を迅速に行うために、社員の入退場検出を行う前に、予めタグＩＤ管理データベース３０３の社員管理リスト（前述の図５参照）のＤＢデータからタグＩＤ登録データを抜き出して複写（取得）して（ステップＳ１０参照）、当該タグＩＤ登録データをＰＣ端末２００内に設けた大容量記憶装置２０５のタグＩＤリスト（前述の図６参照）に保持させておく（ステップＳ１５参照）。これにより、社員の入退場検出時に、リーダ１００によって取得されたタグＩＤが、上記大容量記憶装置２０５のタグＩＤリストに保持されたタグＩＤ登録データに含まれるかどうかを判定し、含まれていれば当該社員が正当権限者、すなわちオフィスの社員であることを認証することができる（ステップＳ５５参照）。
【０１１０】
このように、社員の入退場検出時に、タグＩＤ管理データベース３０３の社員管理リストのＤＢデータ本体にいちいちアクセスして認証を行うのではなく、先に上記社員管理リストのＤＢデータから抜き出して複写しＰＣ端末２００内に記憶させてあるタグＩＤ登録データを用いて、認証を行う。これにより、ネットワークＮＷを介したタグＩＤ管理データベース３０３へのアクセスが不要になる分、正当権限者であるかどうかの認証に必要な時間を大幅に短縮することができる。この結果、認証結果を速やかに当該社員に報知することが可能となり、社員に対し、正当に認証されたという安心感を速やかに与えることができる。
【０１１１】
また、本実施形態では特に、入退場管理アプリケーションの起動時に、タグＩＤ登録データをタグＩＤ管理データベース３０３の社員管理リストより取得する（ステップＳ１０参照）。これにより、社員の入退場検出を開始するためにＰＣ端末２００で入退場管理アプリケーションが立ち上げられたとき、入退場検出に先立ち、確実にタグＩＤ管理データベース３０３の社員管理リストよりタグＩＤ登録データを取得することができる。そして、そのアプリケーションの起動の都度、最新のタグＩＤ登録データを上記社員管理リストより取得することができる。
【０１１２】
また、本実施形態においては、ステップＳ１０でアプリケーションを起動しタグＩＤ管理データベース３０３の社員管理リストより新たなタグＩＤ登録データを取得したとき、既に大容量記憶装置２０５に保持されていたタグＩＤリストを、新たに取得したタグＩＤ登録データにより上書き更新する（ステップＳ１５参照）。これにより、タグＩＤ管理データベース３０３の社員管理リストよりタグＩＤ登録データが取得されるたび、上記タグＩＤリストの内容をそれまでの古いタグＩＤ登録データを置き換える形で最新のタグＩＤ登録データに更新することができるので、精度の高い認証を確実に行うことができる。
【０１１３】
また、本実施形態では特に、オフィスへの社員の入退場検出結果を入場検出として処理する入場処理モードと、退場検出として処理する退場処理モードとを選択的に切り替える。そして、入場処理モードに切り替えられているときには、入退場管理データベース３０４の勤怠管理リストに対し入場記録処理を行い（ステップＳ８０参照）、退場処理モードに切り替えられているときには、入退場管理データベース３０４の勤怠リストに対し退場記録処理を行う（ステップＳ９０参照）。これにより、上記のようなモード切替を行うだけで、共通の通信アンテナ１０１を介した情報取得結果を用いて、入場記録処理と退場記録処理との両方を行うことができる。したがって、入場検出と退場検出とで別々の通信アンテナを用いて別々に情報取得を行う場合に比べ、システム構成を簡素化することができる。
【０１１４】
このとき特に、社員の入退場を検出するモードが上記入場処理モードに切り替えられているか上記退場処理モードに切り替えられているかに応じて、対応するモード表示（前述の図３参照）を表示部２０１のメッセージ表示部２１４に表示させる（ステップＳ３０及びステップＳ４０参照）。これにより、現在、入場処理モードなのか退場処理モードなのかが表示部２０１のメッセージ表示部２１４に表示されるので、社員は、自分の出入りが、入場として記録されるのか、退場として記録されるのかを、確実に認識することができる。この結果、さらに確実に安心感を与えることができる。
【０１１５】
また、本実施形態では特に、社員が正当権限者、すなわちオフィスの社員であることが認証されると、社員証カードＴの無線タグ回路素子Ｔｏより取得した人物識別情報に基づき、対応した表示を表示部２０１に表示させる（前述の例では、メッセージ表示部２１４に社員の氏名を明示した挨拶文が表示される。図１０（ａ）及び図１０（ｂ）参照）。すなわち、社員が正当権限者であることが認証されたとき、当該社員の氏名等の人物識別情報が、タグＩＤ管理データベース３０３に接続することなく、即座に表示部２０１のメッセージ表示部２１４に表示される。この結果、当該社員は自分が正しく認証されたことを確実に視覚的に認識することができるので、さらに安心感を与えることができる。
【０１１６】
また、本実施形態では特に、社員証カードＴより取得したタグＩＤが、大容量記憶装置２０５のタグＩＤリストのタグＩＤ登録データに含まれるかどうかの判定を行った際の時刻情報に基づき、入退場管理データベース３０４の勤怠管理リストに対し、対応する記録処理を行う（ステップＳ８０及びステップＳ９０参照）。これにより、勤怠管理リストに登録された社員について、入場時刻と退場時刻を記録（打刻）して管理を行い、社員の出退勤管理等を行うことができる。そして、上記勤怠管理リストへの記録（打刻）の前に、上記の判定を行う（ステップＳ５５参照）ようにすることで、打刻より先に確実に認証を完了し、認証結果を速やかに社員に報知することができる。
【０１１７】
なお、本発明は、上記実施形態に限られるものではなく、その趣旨及び技術的思想を逸脱しない範囲内で種々の変形が可能である。以下、そのような変形例を順を追って説明する。
【０１１８】
（１）毎日決められた時刻にタグＩＤ登録データを取得する場合
上記実施形態においては、所定の入退場管理アプリケーションを起動する際にタグＩＤ登録データをタグＩＤ管理データベース３０３より取得していたが、これに限られず、毎日決められた時刻にタグＩＤ登録データをタグＩＤ管理データベース３０３より取得するようにしてもよい。
【０１１９】
すなわち、ＰＣ端末２００の制御回路２０３が、図示しない計時手段の時刻情報に基づき、前述の所定のタイミングとして、一日一回以上、決められた時刻に（例えば一日二回、午前８時、午後２時に）、タグＩＤ登録データをタグＩＤ管理データベース３０３の社員管理リストのＤＢデータより取得する（データ取得手段としての機能）。
【０１２０】
本変形例によれば、毎日１回又は複数回、決まった時刻に、確実にタグＩＤ管理データベース３０３の社員管理リストよりタグＩＤ登録データを取得することができ、さらに、その都度最新のタグＩＤ登録データを取得することができる。
【０１２１】
（２）モード切替時刻になったらタグＩＤ登録データを取得する場合
すなわち、前述した入場処理モード及び退場処理モードを所定の時刻を境に切り替えるようにし、当該切替時刻になったら、タグＩＤ登録データをタグＩＤ管理データベース３０３より取得するようにしてもよい。
【０１２２】
すなわち、ＰＣ端末２００の制御回路２０３が、所定の切替時刻を境に、上記入場処理モードから上記退場処理モードへ、若しくは、退場処理モードから入場処理モードへと切り替える。例えば、退場処理モードから入場処理モードへと切り替える上記所定の切替時刻を午前６時、入場処理モードから退場処理モードへと切り替える上記所定の切替時刻を午後２時に設定する。この場合、午前６時から午後２時までは入場処理モードとなり入場時刻の記録等が行われ、午後２時から翌日の午前６時までは退場処理モードとなり退場時刻の記録等が行われることになる。そして、上記の切替時刻（午前６時及び午後２時）になったら、タグＩＤ登録データをタグＩＤ管理データベース３０３の社員管理リストのＤＢデータより取得する（データ取得手段としての機能）
本変形例によれば、社員の入場検出を開始するために入場処理モードに切り替えられたとき、あるいは、社員の退場検出を開始するために退場処理モードに切り替えられたとき、それらの検出に先立って、確実にタグＩＤ管理データベース３０３の社員管理リストよりタグＩＤ登録データを取得することができる。また、それらモード切り替えの都度、最新のタグＩＤ登録データをタグＩＤ管理データベース３０３の社員管理リストより取得することができる。
【０１２３】
（３）ＰＣ端末とリーダを一装置で構成する場合
上記実施形態では、入退場管理システムＩＳが、リーダ１００と、ＰＣ端末２００とを有する構成としたが、これらの機能を一装置で有するタイムレコーダ装置を用いてもよい。
【０１２４】
図１１に、本変形例のタイムレコーダ装置５００の外観を示す。
【０１２５】
図１１において、タイムレコーダ装置５００（入退場管理端末）は、オフィスに対する社員の入退場管理を行う入退場管理端末装置である。このタイムレコーダ装置５００は、その上面に、入退場者である社員に付随された社員証カードＴに設けられた無線タグ回路素子Ｔｏとの間で無線通信を行う通信アンテナ５０７を有しており、その前面に、前述した入退場管理画面２１０を表示する表示部５０１（人物表示手段；モード表示手段）と、操作入力を行うための操作部５０２を有している。
【０１２６】
図１２に、タイムレコーダ装置５００を含む入退場管理システムＩＳのシステム全体の機能構成を示す。
【０１２７】
図１２において、タイムレコーダ装置５００は、上記表示部５０１及び操作部５０２と、図示しないＣＰＵ及びＲＡＭ、ＲＯＭ等のメモリを有する制御回路５０３と、ネットワーク通信制御部５０４と、上記入退場管理アプリケーションのプログラム等を記憶するハードディスク装置等の大容量記憶装置５０５（データ保持手段）と、通信アンテナ５０７と、高周波回路５０６とを有している。
【０１２８】
表示部５０１は、通信アンテナ５０７を介して取得した人物識別情報に対応した表示（前述の図１０と同様の表示）やモード表示（前述の図３と同様の表示）等を行う。
【０１２９】
ネットワーク通信制御部５０４は、サーバ３００との間でネットワークＮＷを介して行われるネットワーク通信の制御を行う。
【０１３０】
通信アンテナ５０７は、社員証カードＴに備えられた無線タグ回路素子Ｔｏとの間で無線通信を行う。
【０１３１】
高周波回路５０６は、上記通信アンテナ５０７を介し上記無線タグ回路素子ＴｏのＩＣ回路部１５０へ無線通信によりアクセスすると共に、その無線タグ回路素子Ｔｏから読み出された信号を処理する（詳細機能は前述の図７に示した高周波回路１０２と同様）。
【０１３２】
サーバ３００については、上記実施形態と同様の構成である。なお、ここではタイムレコーダ装置５００とサーバ３００とが別体である構成としたが、タイムレコーダ装置５００がタグＩＤ管理データベース３０３と入退場管理データベース３０４とを有する構成としてもよい。この場合、タイムレコーダ装置５００のみで入退場管理システムＩＳを構成することになる。
【０１３３】
上記制御回路５０３によって実行される制御手順は、前述の図９に示す内容とほぼ同様であるので説明を省略する。
【０１３４】
上記構成である本変形例においては、上記実施形態と同様の効果を得ると共に、さらに、１つのタイムレコーダ装置５００がデータベース以外の各手段を備えるオールインワンタイプとすることにより、複数の装置を組み合わせてシステムを構築する場合よりも構成を簡素化でき、また手軽に入退場管理システムを実現することができ、さらに必要時には全体の移動も容易に行うことができる。
【０１３５】
（４）その他
以上では、入退場管理を行う管理対象区画がオフィスである場合を一例として説明したが、これに限られず、例えば特定の建造物（ビル、病院等）、部屋（会議室、応接室等）、敷地、施設（遊園地、空港等）、又は特定エリア等、種々の管理対象区画に対して本発明は適用可能である。
【０１３６】
また以上では、オフィスにおける社員の入退場管理（出退勤管理）を行う場合を一例として説明したが、これに限られず、例えば来客の入退場管理に適用することも可能である。この場合には、各来客に無線タグ回路素子Ｔｏを備えた来客用カードを渡しておき、それを用いて入退場を行うようにすればよい。
【０１３７】
なお、以上において、図２、図７、図８等の各図中に示す矢印は信号の流れの一例を示すものであり、信号の流れ方向を限定するものではない。また、図９に示すフローチャートは本発明を上記フローに示す手順に限定するものではなく、発明の趣旨及び技術的思想を逸脱しない範囲内で手順の追加・削除又は順番の変更等をしてもよい。
【０１３８】
また、以上既に述べた以外にも、上記実施形態や各変形例による手法を適宜組み合わせて利用しても良い。
【０１３９】
その他、一々例示はしないが、本発明は、その趣旨を逸脱しない範囲内において、種々の変更が加えられて実施されるものである。
【符号の説明】
【０１４０】
１００            リーダ
１０１            通信アンテナ
２００            ＰＣ端末（管理端末）
２０１            表示部（人物表示手段；モード表示手段）
２０２            操作部
２０３            制御回路
２０５            大容量記憶装置（データ保持手段）
３００            サーバ
３０３            タグＩＤ管理データベース
３０４            入退場管理データベース
５００            タイムレコーダ装置（入退場管理端末）
５０１            表示部（人物表示手段；モード表示手段）
５０２            操作部
５０５            大容量記憶装置（データ保持手段）
５０７            通信アンテナ
ＩＳ              入退場管理システム
Ｔ                社員証カード（無線タグ）
Ｔｏ              無線タグ回路素子
【図１】
2010165144.tif 000003
【図２】
2010165144.tif 000004
【図３】
2010165144.tif 000005
【図４】
2010165144.tif 000006
【図５】
2010165144.tif 000007
【図６】
2010165144.tif 000008
【図７】
2010165144.tif 000009
【図８】
2010165144.tif 000010
【図９】
2010165144.tif 000011
【図１０】
2010165144.tif 000012
【図１１】
2010165144.tif 000013
【図１２】
2010165144.tif 000014